(57)【要約】【課題】  発光部を改良した電子機器を提供する。【解決手段】  電子機器は、透光部を有した筐体、前記筐体の内部に収められたプリント回路板、前記プリント回路板上に設けられた光源、第１部材、第２部材、補強板を備える。第１部材は、前記光源から前記透光部に向けて照射された光を通す第１開口部と、前記第１開口部の周囲を規定したダクト状の第１本体と、を有し、前記プリント回路板に固定される。第２部材は、前記光源から前記透光部に向けて照射された光を通す第２開口部と、前記第２開口部の周囲を規定したダクト状の第２本体と、を有し、前記透光部の内面に固定されるとともに、前記第１開口部と前記第２開口部とが連通するように前記第１部材と当接される。補強板は、前記第１部材と前記第２部材との間に設けられるとともに、前記第１部材および前記第２部材を間に挟んだ両側で前記筐体に固定される。【選択図】図３
2012118742.tif 000002
【特許請求の範囲】
【請求項１】
透光部を有した筐体と、
前記筐体の内部に収められたプリント回路板と、
前記プリント回路板上に設けられた光源と、
前記光源から前記透光部に向けて照射された光を通す第１開口部と、前記第１開口部の周囲を規定したダクト状の第１本体と、を有し、前記プリント回路板に固定された第１部材と、
前記光源から前記透光部に向けて照射された光を通す第２開口部と、前記第２開口部の周囲を規定したダクト状の第２本体と、を有し、前記透光部の内面に固定されるとともに、前記第１開口部と前記第２開口部とが連通するように前記第１部材と当接された第２部材と、
前記第１部材と前記第２部材との間に設けられるとともに、前記第１部材および前記第２部材を間に挟んだ両側で前記筐体に固定された固定部を有した補強板と、
を備えた電子機器。
【請求項２】
前記光源は、前記プリント回路板の主部から張り出した張出部上に設けられ、
前記第１部材は、前記第１本体から突出した突出部を有し、前記突出部は、前記張出部の外縁を取り囲んだ請求項１に記載の電子機器。
【請求項３】
前記筐体は、
前記第２部材が固定された第１ケースと、
前記第１ケースとは分離して設けられた第２ケースと、
を含み、
前記固定部は、第２ケースに固定された請求項２に記載の電子機器。
【請求項４】
前記第２部材は、前記第２本体から突出した重複部を有し、前記重複部は、前記第１部材の第１本体の周囲に重なった請求項３に記載の電子機器。
【請求項５】
前記突出部は、前記筐体と対向した部分に対向部を有し、
前記対向部は、前記筐体の内面に沿うように斜めになったことを特徴とする請求項４に記載の電子機器。
【請求項６】
前記透光部は、前記光源と正対する位置から外れた斜めの位置に設けられ、
前記第１本体は、前記光源と前記透光部と結ぶ線に沿って斜めに設けられた請求項５に記載の電子機器。
【請求項７】
前記第１本体は、その内面に反射部を有し、前記反射部は、前記光源からの光を前記透光部に向けて反射可能である請求項５に記載の電子機器。
【請求項８】
透光部が設けられた筐体と、
前記筐体に収められたプリント回路板と、
前記プリント回路板に設けられた光源と、
前記プリント回路板に設けられて前記光源を囲んだ第１開口部が設けられた第１部材と、
前記プリント回路板とは離間された位置で前記第１部材と前記透光部との間に設けられ、前記第１開口部からの光を通す第２開口部が設けられた第２部材と、
を備えた電子機器。
【請求項９】
前記光源は、プリント回路板の主部から張り出した張出部上に設けられ、
前記第１部材は、前記第１本体から突出した突出部を有し、前記突出部は、前記張出部の外縁を取り囲んだ請求項８に記載の電子機器。
【請求項１０】
前記第２部材は、前記第２本体から突出した第１重複部および第２重複部を有し、前記第１本体は、前記第１重複部と前記第２重複部との間に挟まれたことを特徴とする請求項９に記載の電子機器。
【発明の詳細な説明】
【技術分野】
【０００１】
本発明の実施形態は、発光部を有した電子機器に関する。
【背景技術】
【０００２】
電子機器では、主たる表示画面とは別に、ＬＥＤを利用した発光部を設けることがしばしば行われる。そして、この発光部からの光漏れを防止したものが存在する。
【先行技術文献】
【特許文献】
【０００３】
【特許文献１】特開２０００−２０８９６７号公報
【発明の概要】
【発明が解決しようとする課題】
【０００４】
ところで、このようにＬＥＤを利用した発光部には、様々な応用が可能である。そして、電子機器に用いられる発光部についての改良に対するニーズが存在していた。
【０００５】
本発明は、発光部を改良した電子機器を提供することを目的とする。
【課題を解決するための手段】
【０００６】
実施形態の電子機器は、透光部を有した筐体と、前記筐体の内部に収められたプリント回路板と、前記プリント回路板上に設けられた光源と、前記光源から前記透光部に向けて照射された光を通す第１開口部と、前記第１開口部の周囲を規定したダクト状の第１本体と、を有し、前記プリント回路板に固定された第１部材と、前記光源から前記透光部に向けて照射された光を通す第２開口部と、前記第２開口部の周囲を規定したダクト状の第２本体と、を有し、前記透光部の内面に固定されるとともに、前記第１開口部と前記第２開口部とが連通するように前記第１部材と当接された第２部材と、前記第１部材と前記第２部材との間に設けられるとともに、前記第１部材および前記第２部材を間に挟んだ両側で前記筐体に固定された固定部を有した補強板と、を備えた。
【図面の簡単な説明】
【０００７】
【図１】第１の実施形態にかかる電子機器の一例であるポータブルコンピュータを示した斜視図。
【図２】図１に示すＦ２−Ｆ２線に沿った断面図。
【図３】図２に示すＡを拡大して示した断面図。
【図４】図３に示すポータブルコンピュータの第１部材を示した斜視図。
【図５】図３に示すポータブルコンピュータのプリント回路板、第１部材を示した斜視図。
【図６】図５に示すプリント回路板、第１部材を拡大して示した斜視図。
【図７】図３に示すポータブルコンピュータの第２部材を示した斜視図。
【図８】図７に示すＦ８−Ｆ８線に沿った断面図。
【図９】図３に示すポータブルコンピュータの第１ケース、第２部材、補強板を示した斜視図。
【図１０】図３に示すポータブルコンピュータの第２ケース、プリント回路板、第１部材、補強板を示した斜視図。
【図１１】第２の実施形態にかかる電子機器の一例であるポータブルコンピュータの本体部の縦方向に沿った断面図。
【図１２】第３の実施形態にかかる電子機器の一例であるポータブルコンピュータの本体部の縦方向に沿った断面図。
【発明を実施するための形態】
【０００８】
以下、図１から図１０を参照して、電子機器の一例であるポータブルコンピュータの実施形態について説明する。以下の実施形態では、手前側（即ちユーザ側）を前方向Ｆ、ユーザから見て奥側を後方向Ｒ、ユーザから見て左側を左方向、ユーザから見て右側を右方向、ユーザから見て上方を上方向、ユーザから見て下方を下方向と定義する。
【０００９】
図１に示すように、ポータブルコンピュータ１１は、本体部１２と、本体部１２に対して覆い被さったり、本体部１２に対して起立したり可能なディスプレイ部１３と、本体部１２とディスプレイ部１３との間に設けられたヒンジ部１４と、を有している。ヒンジ部１４は、本体部１２に対してディスプレイ部１３が回動できるように本体部１２とディスプレイ部１３とを連結している。
【００１０】
ディスプレイ部１３は、表示パネル１５（表示装置）と、表示パネル１５の周囲を取り囲んだディスプレイキャビネット１６と、を有している。表示パネル１５は、例えば、方形板状の液晶パネルで構成されている。表示パネル１５は、例えばプラズマディスプレイパネル、有機ＥＬパネル等の他の種類のディスプレイパネルでもよい。
【００１１】
図１から図３に示すように、本体部１２は、透光部２１を有するとともに外殻をなした本体キャビネット２２と、本体キャビネット２２の外面に取り付けられたキーボード２３、タッチパッド２４、およびボタン２９と、本体キャビネット２２の内部に収められたプリント回路板２５（マザーボード）と、プリント回路板２５上に設けられた複数の光源２６と、光源２６の近傍でプリント回路板２５に固定された第１ユニット２７と、透光部２１の内面に固定された第２ユニット２８と、第１ユニット２７と第２ユニット２８との間に設けられた補強板３１と、を有している。ディスプレイキャビネット１６および本体キャビネット２２によって、筐体３２が構成されている。
【００１２】
プリント回路板２５は、ポータブルコンピュータ１１の全体を統括的に制御している。図５に示すように、プリント回路板２５は、例えばＣＰＵ３３、ノースブリッジ３４、グラフィックスチップ３５等の主要な複数の回路部品が固定された主部２５Ａと、主部２５Ａから小片状に張り出した張出部２５Ｂと、を含んでいる。
【００１３】
透光部２１は、例えば、透明な樹脂材料で構成されている。図３に示すように、透光部２１は、光源２６と正対する位置から外れた位置で、光源２６からみて斜めの位置に設けられている。透光部２１は、光源２６からの光を透過させ、ポータブルコンピュータ１１からの様々な情報をユーザに伝えることができる。
【００１４】
光源２６は、例えば、上面発光タイプの発光ダイオードで構成されている。この発光ダイオードの視野角は、例えば、１２０°から１７０°である。上記の透光部２１は、光源２６の視野角の範囲内に設けられている。図１、図２に示すように、本実施形態では、光源２６は、プリント回路板２５の張出部２５Ｂ上に計７個が横並びに設けられている。
【００１５】
本体キャビネット２２は、上側の第１ケース３６と、第１ケース３６とは分離して設けられた下側の第２ケース３７と、を有している。第１ケース３６は、全体として遮光性があり、上記の透光部２１を一部に含んでいる。
【００１６】
図３に示すように、第１ユニット２７は、例えば、両面テープ３８によってプリント回路板２５に固定されているが、他の手段による接着でもよい。図４に示すように、第１ユニット２７は、複数の第１部材４１と、複数の第１部材４１同士を連結した略平板状の第１連結部４２と、を有している。第１ユニット２７は、例えば、遮光性のある合成樹脂材料によって一体に形成されているが、金属材料で形成されていてもよい。各第１部材４１は、光源２６から透光部２１に向けて照射された光を通すことが可能な第１開口部４３と、第１開口部４３の周囲を規定したダクト状の第１本体４４と、第１本体４４から突出した突出部４５と、を有している。本実施形態では、上記７個の光源２６に対応して、第１ユニット２７は、合計７個の第１部材４１を有している。
【００１７】
第１ユニット２７がプリント回路板２５に接着された状態で、第１本体４４は、光源２６の四周を取り囲むことができる。第１本体４４は、プリント回路板２５と交差或いは直交する方向に延びた計３個の第１壁部４４Ａと、プリント回路板２５に対して斜めになった１個の第２壁部４４Ｂと、を含んでいる。第２壁部４４Ｂは、光源２６と透光部２１とを結んだ線に沿って斜めになっている。このため、第１本体４４は、全体として、光源２６と透光部２１とを結んだ線に沿って斜めになっている。
【００１８】
図５、図６に示すように、各第１本体４４から突出した突出部４５は、例えば、「Ｕ」字形をなすように一体で、連続的に設けられている。突出部４５は、プリント回路板２５の張出部２５Ｂの外縁を取り囲んでおり、張出部２５Ｂの角部４６で欠けやひび割れ等を生じないように張出部２５Ｂを保護している。なお、突出部４５は、各第１本体４４に対応して個別に設けられていてもよい。
【００１９】
図３、図４に示すように、突出部４５は、対向部４５Ａを有しており、この対向部４５Ａは、本体キャビネット２２の第２ケース３７と対向した部分に設けられている。対向部４５Ａは、第２ケース３７の内面に沿うように斜めになっている。
【００２０】
図７に示すように、第２ユニット２８は、複数の第２部材５１と、複数の第２部材５１同士を連結した略平板状の第２連結部５２と、を有している。第２ユニット２８は、例えば、遮光性のある合成樹脂材料によって一体に形成されているが、金属材料で形成されていてもよい。各第２部材５１は、光源２６から透光部２１に向けて照射された光を通すことが可能な第２開口部５３と、第２開口部５３の周囲を規定したダクト状の第２本体５４と、第２本体５４から突出した重複部５５と、を有している。本実施形態では、上記７個の光源２６に対応して、第２ユニット２８は、合計７個の第２部材５１を有している。第２部材５１は、第１部材４１の第１開口部４３と第２開口部５３とが連通するように、第１部材４１に当接される（図３参照）。
【００２１】
図７、図８に示すように、第２本体５４は、プリント回路板２５と交差或いは直交する方向に延びた計４個の第３壁部５４Ａを含んでいる。第２本体５４は、補強板３１を通すための切欠部５６を有している（図３参照）。
【００２２】
第２連結部５２は、その両端部に固定用の固定孔５７を有している。一方、図６に示すように、本体キャビネット２２の第１ケース３６には、この固定孔５７に通されるピン５８が設けられている。当該ピン５８を高温で溶融させることによって、第２ユニット２８は本体キャビネット２２の第１ケース３６に溶着・固定される。
【００２３】
また、第２本体５４から突出した重複部５５は、隣接する第２部材５１同士の間で連続した一つの壁を構成するように設けられている。図３に示すように、重複部５５は、第１部材４１よりも前方向Ｆに寄った位置で、第１部材４１の第１本体４４の周囲に重なるように配置される。重複部５５は、第１部材４１と第２部材５１との間の微小な隙間から光漏れを生じないようにする。
【００２４】
図９、図１０に示すように、補強板３１は、例えば金属材料によって方形枠状に設けられている。補強板３１は、例えば、第１ケース３６と固定された第１固定部６１と、第２ケース３７と固定された第２固定部６２と、第１ケース３６に対して補強板３１を位置決めするための位置決め部６３と、を有している。図９に示すように、第１固定部６１は、補強板３１の後方向Ｒにある角部の近傍に設けられている。第１固定部６１は、各角部の近傍に設けられた第１貫通孔６１Ａを一対に有している。第１固定部６１は、第１ケース３６の第１ボス３６Ａに例えばねじ止め等で固定されている。
【００２５】
また、第２固定部６２は、補強板３１の前方向Ｆにある角部の近傍に設けられている。第２固定部６２は、各角部の近傍に設けられた第２貫通孔６２Ａを一対に有している。図１０に示すように、第２固定部６２は、第１部材４１および第２部材５１を間に挟んだ両側で、例えば第２ケース３７の第２ボス３７Ａに例えばねじ止め等で固定されている。
【００２６】
位置決め部６３は、一対の貫通孔６３Ａで構成されており、各貫通孔６３Ａは、例えば、第２貫通孔６２Ａの近傍に設けられている。一方、第１ケース３６は、位置決め部６３の貫通孔６３Ａに通される位置決めピン６４を一対に有しており、これら位置決めピン６４が貫通孔６３Ａの内側に通されることで、例えば第１ケース３６に対して補強板３１の位置を決定することができる。補強板３１は、さらに、折り曲げ部３１Ａを数箇所に有しており、撓みに対する剛性が大きくなっている。
【００２７】
図３に示すように、補強板３１は、その先端部３１Ａにおいて、第２ユニット２８の第２部材５１を弾力的に支持することができる。これによって、本体キャビネット２２の強度が増大している。
【００２８】
第１の実施形態によれば、ポータブルコンピュータ１１は、透光部２１を有した筐体３２と、筐体３２の内部に収められたプリント回路板２５と、プリント回路板２５上に設けられた光源２６と、光源２６から透光部２１に向けて照射された光を通す第１開口部４３と、第１開口部４３の周囲を規定したダクト状の第１本体４４と、を有し、プリント回路板２５に固定された第１部材４１と、光源２６から透光部２１に向けて照射された光を通す第２開口部５３と、第２開口部５３の周囲を規定したダクト状の第２本体５４と、を有し、透光部２１の内面に固定されるとともに、第１開口部４３と第２開口部５３とが連通するように第１部材４１と当接された第２部材５１と、第１部材４１と第２部材５１との間に設けられるとともに、第１部材４１および第２部材５１を間に挟んだ両側で筐体３２に固定された補強板３１と、を備えた。
【００２９】
この構成によれば、第１部材４１および第２部材５１によって、光源２６からの光が意図しない方向に漏れることがなく、ポータブルコンピュータ１１において適切な照明効果を発揮できる。また、第１部材４１と第２部材５１との間に補強板３１が設けられることによって、ユーザが例えば、筐体３２に手をついたりして第１ケース３６に圧力がかかった場合でも、その圧力がそのままプリント回路板２５に伝達されることが防止される。これによって、プリント回路板２５に圧力がかかって、プリント回路板２５上で断線を生じたり、プリント回路板２５に割れを生じたりすることを防止できる。
【００３０】
光源２６は、プリント回路板２５の主部から張り出した張出部２５Ｂ上に設けられ、第１部材４１は、第１本体４４から突出した突出部４５を有し、突出部４５は、張出部２５Ｂの外縁を取り囲んでいる。この構成によれば、光源２６からプリント回路板２５と平行な方向に照射された光が、第１部材４１とプリント回路板２５との間の隙間から漏れてしまうことがなく、意図しない方向に光漏れを生ずることを防止できる。
【００３１】
また上記構成によれば、光源２６を例えば張出部２５Ｂの端部に極力近づけて配置したとしても光漏れを防止することが可能となり、設計の自由度を向上できる。また、プリント回路板２５に張出部２５Ｂを設け、その張出部２５Ｂに光源２６を設けることで、別途に光源２６を取り付けるための小基板が不要となり、部品点数を削減できる。さらに、張出部２５Ｂの周囲を突出部４５で保護することができ、ポータブルコンピュータ１１が落下した場合など外部から衝撃が加えられた際に、張出部２５Ｂが筐体３２と接触して、張出部２５Ｂに欠けやひび割れ等を生じてしまうことを防止できる。
【００３２】
また、筐体３２は、第２部材５１が固定された第１ケース３６と、第１ケース３６とは分離して設けられた第２ケース３７と、を含み、固定部は、第２ケース３７に固定されている。この構成によれば、例えばユーザが筐体３２に手をついたりして、強く筐体３２を押し込んで第１ケース３６ごと大きく撓むようなことがあったとしても、補強板３１が第２ケース３７に固定されるため、第１ケース３６からの圧力を補強板３１によって受けることができる。このため、第１ケース３６ごと撓ませるような大きな押圧力がプリント回路板２５にそのまま伝達されてしまうことがなく、プリント回路板２５の破損を防止することができる。
【００３３】
第２部材５１は、第２本体５４から突出した重複部５５を有し、重複部５５は、第１部材４１の第１本体４４の周囲に重なっている。この構成によれば、第１部材４１と第２部材５１との間の隙間から光が漏れることを防止でき、より一層適切な照明効果を発揮させることができる。
【００３４】
また、突出部４５は、筐体３２と対向した部分に対向部４５Ａを有し、対向部４５Ａは、筐体３２の内面に沿うように斜めになっている。この構成によれば、突出部４５と筐体３２の内面とが干渉するのを防止して、例えば、外部からの衝撃が第１部材４１を経由してプリント回路板２５に伝達されてしまうことを防止できる。
【００３５】
透光部２１は、光源２６と正対する位置から外れた斜めの位置に設けられ、第１本体４４は、光源２６と透光部２１と結ぶ線に沿って斜めに設けられる。この構成によれば、光源２６から透光部２１に向けて照射される光が第１本体４４で遮られることがなく、透光部２１において適切な照明効果を発揮することができる。また、光源２６、プリント回路板２５、および透光部２１のレイアウトの自由度を向上して、より独創的なデザインの採用を可能にできる。
【００３６】
続いて、図１１を参照して、電子機器の第２の実施形態について説明する。第２の実施形態の電子機器の一例であるポータブルコンピュータ１１は、補強板３１が設けられていない点、および第２ユニット２８の形状が異なる点で第１の実施形態のものと異なっているが、他の部分は第１の実施形態と共通している。このため、主として異なる部分について説明し、共通する部分については共通の符号を付して説明を省略する。ポータブルコンピュータ１１は、図１に示す第１の実施形態のものと同様の外観を有する。
【００３７】
第２ユニット２８は、透光部２１の内面に溶着・固定されている。第２ユニット２８は、図７に示すものと同様に、複数の第２部材５１と、複数の第２部材５１同士を連結した略平板状の第２連結部５２と、を有している。第２ユニット２８は、例えば、遮光性のある合成樹脂材料によって一体に形成されているが、金属材料で形成されていてもよい。各第２部材５１は、光源２６から透光部２１に向けて照射された光を通すことが可能な第２開口部５３と、第２開口部５３の周囲を規定したダクト状の第２本体５４と、第２本体５４から突出した第１重複部５５Ａおよび第２重複部５５Ｂと、を有している。本実施形態では、上記７個の光源２６に対応して、第２ユニット２８は、合計７個の第２部材５１を有している。第２部材５１は、第１部材４１の第１開口部４３と、第２開口部５３とが連通するように第１部材４１に当接される。
【００３８】
第２本体５４は、プリント回路板２５と交差或いは直交する方向に延びた計４個の第３壁部５４Ａを含んでいる。第２本体５４は、補強板３１を通すための切欠部５６を有している。
【００３９】
第２連結部５２は、その両端部に固定用の固定孔５７を有している。一方、本体キャビネット２２の第１ケース３６には、この固定孔５７に通されるピン５８が設けられている。当該ピン５８を高温で溶融させることによって、第２ユニット２８が本体キャビネット２２（第１ケース３６）に溶着される。
【００４０】
また、第２本体５４から突出した第１重複部５５Ａおよび第２重複部５５Ｂは、第１の実施形態と同様に、隣接する第２部材５１同士の間で連続した一つの壁を構成するように設けられている。第１重複部５５Ａは、第１部材４１よりも前方向Ｆに寄った位置で、第１部材４１の第１本体４４の周囲に重なるように配置される。第２重複部５５Ｂは、第１部材４１よりも後方向Ｒに寄った位置で、第１部材４１の第１本体４４の周囲に重なるように配置される。このため、第１本体４４は、第１重複部５５Ａと第２重複部５５Ｂとの間に挟まれた状態となる。第１重複部５５Ａおよび第２重複部５５Ｂは、第１部材４１と第２部材５１との間の微小な隙間から光漏れを生じないようにしている。
【００４１】
第２の実施形態によれば、ポータブルコンピュータ１１は、透光部２１を有した筐体３２と、筐体３２の内部に収められたプリント回路板２５と、プリント回路板２５上に設けられた光源２６と、光源２６から透光部２１に向けて照射された光を通す第１開口部４３と、第１開口部４３の周囲を規定したダクト状の第１本体４４と、を有し、プリント回路板２５に固定された第１部材４１と、光源２６から透光部２１に向けて照射された光を通す第２開口部５３と、第２開口部５３の周囲を規定したダクト状の第２本体５４と、を有し、透光部２１の内面に固定されるとともに、第１開口部４３と第２開口部５３とが連通するように第１部材４１と当接された第２部材５１と、を備えた。
【００４２】
この構成によれば、第１部材４１および第２部材５１によって、光源２６からの光を透光部２１に向けて適切に案内するとともに、筐体３２内で意図しない方向に光漏れを生ずることを防止できる。
【００４３】
また、光源２６は、プリント回路板２５の主部２５Ａから張り出した張出部２５Ｂ上に設けられ、第１部材４１は、第１本体４４から突出した突出部４５を有し、突出部４５は、張出部２５Ｂの外縁を取り囲んでいる。この構成によれば、光源２６からプリント回路板２５と平行な方向に照射された光が、第１部材４１とプリント回路板２５との間から漏れてしまうことを防止できる。これによって、光源２６を例えば張出部２５Ｂの端部に極力近づけて配置するなど、設計の自由度を向上できる。また、別途に光源２６を取り付けるための小基板が不要となり、部品点数を削減できる。さらに、張出部２５Ｂの周囲を突出部４５で保護することができ、ポータブルコンピュータ１１が落下した場合など外部から衝撃が加えられた際に、張出部２５Ｂが筐体３２と接触して、張出部２５Ｂに欠けやひび割れ等を生じてしまうことを防止できる。
【００４４】
第２部材５１は、第２本体５４から突出した第１重複部５５Ａおよび第２重複部５５Ｂを有し、第１本体４４は、第１重複部５５Ａと第２重複部５５Ｂとの間に挟まれている。この構成によれば、第１部材４１および第２部材５１の間の隙間からの光漏れを、２方向から防止することができる。これによって、意図しない方向に光漏れを生ずることがなく、より一層適切な照明効果を発揮できる。
【００４５】
なお、本実施形態では、第２ユニット２８は、透光部２１の内面に溶着・固定されているが、第２のユニット２８を本体キャビネット２２の第１ケース３６（透光部２１）から離間させて設けてもよい。この変形例の場合には、第２のユニット２８は、例えばスペーサ等を介して第１ケース３６（透光部２１）に固定される。そして、第２のユニット２８の第２部材５１は、プリント回路板２５とは離間された位置で第１部材４１と透光部２１との間に設けられている。
【００４６】
続いて、図１２を参照して、電子機器の第３の実施形態について説明する。第３の実施形態の電子機器の一例であるポータブルコンピュータは、第１ユニット２７の構造、光源２６の構造、および光源２６と透光部２１との位置関係が異なる点で第１の実施形態のものと異なっているが、他の部分は第１の実施形態と共通している。このため、主として異なる部分について説明し、共通する部分については共通の符号を付して説明を省略する。ポータブルコンピュータ１１は、図１に示す第１の実施形態のものと同様の外観を有する。
【００４７】
本実施形態において、透光部２１は、光源２６と正対する位置から外れた斜めの位置に設けられている。そして、光源２６は、第１実施形態に比して、さらに後方向Ｒに寄った位置に配置されている。本実施形態において、光源２６は、例えば、側面発光タイプの発光ダイオードで構成されている。光源２６は、プリント回路板２５の張出部２５Ｂ上に計７個が横並びに設けられている。
【００４８】
第１ユニット２７は、例えば、両面テープ３８によってプリント回路板２５に固定されている。図４に示すものと同様に、第１ユニット２７は、複数の第１部材４１と、複数の第１部材４１同士を連結した略平板状の第１連結部４２と、を有している。第１ユニット２７は、例えば、遮光性のある合成樹脂材料によって一体に形成されているが、金属材料で形成されていてもよい。各第１部材４１は、光源２６から透光部２１に向けて照射された光を通すことが可能な第１開口部４３と、第１開口部４３の周囲を規定したダクト状の第１本体４４と、第１本体４４から突出した突出部４５と、を有している。本実施形態では、上記７個の光源２６に対応して、第１ユニット２７は、合計７個の第１部材４１を有している。
【００４９】
各第１本体４４から突出した突出部４５は、図６に示すものと同様に、例えば、「Ｕ」字形をなすように一体で、連続的に設けられている。突出部４５は、プリント回路板２５の張出部２５Ｂの外縁を取り囲んでおり、張出部２５Ｂの角部４６で欠けやひび割れ等を生じないように張出部２５Ｂを保護している。なお、突出部４５は、各第１本体４４に対応して個別に設けられていてもよい。
【００５０】
第１ユニット２７がプリント回路板２５に接着された状態において、第１本体４４は、光源２６の周囲を取り囲むことができる。第１本体４４は、プリント回路板２５と交差或いは直交する方向に延びた計３個の第１壁部４４Ａと、プリント回路板２５に対して斜めになった１個の第２壁部４４Ｂと、を含んでいる。第２壁部４４Ｂは、プリント回路板２５に対して斜めになっている。このため、第１本体４４は、全体として、光源２６と透光部２１とを結んだ線に沿って斜めになっている。
【００５１】
第１本体４４は、この第２壁部４４Ｂの内面に、例えば、鏡状をなした反射板７１（反射部）を有している。図１２に示すように、反射板７１は、光源２６からプリント回路板２５と略平行な方向に照射された光を、透光部２１に向けて反射することができる。
【００５２】
第３の実施形態によれば、第１本体４４は、その内面に反射部を有し、反射部は、光源２６からの光を透光部２１に向けて反射可能である。この構成によれば、光源２６と透光部２１との位置がさらにずれている場合であっても、光源２６からの光を透光部２１に向けて照射させることができる。これによって、光源２６および透光部２１の位置関係に関して、設計の自由度をさらに向上することができる。さらに、反射部を介することによって、光源２６からのユーザの目に向けて照射される光を意図的に弱くすることができ、ユーザの使い勝手にも十分に配慮することができる。
【００５３】
電子機器は、上記実施形態に示したポータブルコンピュータ１１に限定されるものではなく、テレビ、携帯電話機、書籍や画像等を電子的に表示する電子ブックリーダーのようなその他の電子機器に対しても当然に実施可能である。
【００５４】
さらに、電子機器は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００５５】
１１…ポータブルコンピュータ、１６…ディスプレイキャビネット、２１…透光部、２２…本体キャビネット、２５…プリント回路板、２５Ａ…主部、２５Ｂ…張出部、２６…光源、３１…補強板、３２…筐体、３６…第１ケース、３７…第２ケース、４１…第１部材、４３…第１開口部、４４…第１本体、４５…突出部、４５Ａ…対向部、５１…第２部材、５３…第２開口部、５４…第２本体、５５…重複部、５５Ａ…第１重複部、６１…第１固定部、６２…第２固定部、７１…反射板
【図１】
2012118742.tif 000003
【図２】
2012118742.tif 000004
【図３】
2012118742.tif 000005
【図４】
2012118742.tif 000006
【図５】
2012118742.tif 000007
【図６】
2012118742.tif 000008
【図７】
2012118742.tif 000009
【図８】
2012118742.tif 000010
【図９】
2012118742.tif 000011
【図１０】
2012118742.tif 000012
【図１１】
2012118742.tif 000013
【図１２】
2012118742.tif 000014
【手続補正書】
【提出日】平成24年3月9日(2012.3.9)
【手続補正１】
【補正対象書類名】特許請求の範囲
【補正対象項目名】全文
【補正方法】変更
【補正の内容】
【特許請求の範囲】
【請求項１】
透光部を有した筐体と、
前記筐体の内部に収められたプリント回路板と、
前記プリント回路板上に設けられた光源と、
前記光源から前記透光部に向けて照射された光を通す第１開口部と、前記第１開口部の周囲を規定したダクト状の第１本体と、を有し、前記プリント回路板に固定された第１部材と、
前記光源から前記透光部に向けて照射された光を通す第２開口部と、前記第２開口部の周囲を規定したダクト状の第２本体と、を有し、前記透光部の内面に固定されるとともに、前記第１開口部と前記第２開口部とが連通するように前記第１部材と当接された第２部材と、
前記第１部材と前記第２部材との間に設けられるとともに、前記第１部材および前記第２部材を間に挟んだ両側で前記筐体に固定された固定部を有した補強板と、
を備えた電子機器。
【請求項２】
前記光源は、前記プリント回路板の主部から張り出した張出部上に設けられ、
前記第１部材は、前記第１本体から突出した突出部を有し、前記突出部は、前記張出部の外縁を取り囲んだ請求項１に記載の電子機器。
【請求項３】
前記筐体は、
前記第２部材が固定された第１ケースと、
前記第１ケースとは分離して設けられた第２ケースと、
を含み、
前記固定部は、第２ケースに固定された請求項２に記載の電子機器。
【請求項４】
前記第２部材は、前記第２本体から突出した重複部を有し、前記重複部は、前記第１部材の第１本体の周囲に重なった請求項３に記載の電子機器。
【請求項５】
前記突出部は、前記筐体と対向した部分に対向部を有し、
前記対向部は、前記筐体の内面に沿うように斜めになったことを特徴とする請求項４に記載の電子機器。
【請求項６】
前記透光部は、前記光源と正対する位置から外れた斜めの位置に設けられ、
前記第１本体は、前記光源と前記透光部と結ぶ線に沿って斜めに設けられた請求項５に記載の電子機器。
【請求項７】
前記第１本体は、その内面に反射部を有し、前記反射部は、前記光源からの光を前記透光部に向けて反射可能である請求項５に記載の電子機器。
【請求項８】
透光部が設けられた筐体と、
張出部を有し、前記筐体に収められたプリント回路板と、
前記プリント回路板の前記張出部に設けられた光源と、
前記プリント回路板に設けられて前記光源を囲んだ第１開口部と前記張出部の外縁を囲んだ部分とが設けられた第１部材と、
前記プリント回路板とは離間された位置で前記第１部材と前記透光部との間に設けられ、前記第１開口部からの光を通す第２開口部が設けられた第２部材と、
を備えた電子機器。
【請求項９】
前記第２部材は、前記第２本体から突出した第１重複部および第２重複部を有し、前記第１本体は、前記第１重複部と前記第２重複部との間に挟まれたことを特徴とする請求項８に記載の電子機器。
【手続補正２】
【補正対象書類名】明細書
【補正対象項目名】００５４
【補正方法】変更
【補正の内容】
【００５４】
さらに、電子機器は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
以下に、本願出願の当初の特許請求の範囲に記載された発明を付記する。
［１］
透光部を有した筐体と、
前記筐体の内部に収められたプリント回路板と、
前記プリント回路板上に設けられた光源と、
前記光源から前記透光部に向けて照射された光を通す第１開口部と、前記第１開口部の周囲を規定したダクト状の第１本体と、を有し、前記プリント回路板に固定された第１部材と、
前記光源から前記透光部に向けて照射された光を通す第２開口部と、前記第２開口部の周囲を規定したダクト状の第２本体と、を有し、前記透光部の内面に固定されるとともに、前記第１開口部と前記第２開口部とが連通するように前記第１部材と当接された第２部材と、
前記第１部材と前記第２部材との間に設けられるとともに、前記第１部材および前記第２部材を間に挟んだ両側で前記筐体に固定された固定部を有した補強板と、
を備えた電子機器。
［２］
前記光源は、前記プリント回路板の主部から張り出した張出部上に設けられ、
前記第１部材は、前記第１本体から突出した突出部を有し、前記突出部は、前記張出部の外縁を取り囲んだ［１］に記載の電子機器。
［３］
前記筐体は、
前記第２部材が固定された第１ケースと、
前記第１ケースとは分離して設けられた第２ケースと、
を含み、
前記固定部は、第２ケースに固定された［２］に記載の電子機器。
［４］
前記第２部材は、前記第２本体から突出した重複部を有し、前記重複部は、前記第１部材の第１本体の周囲に重なった［３］に記載の電子機器。
［５］
前記突出部は、前記筐体と対向した部分に対向部を有し、
前記対向部は、前記筐体の内面に沿うように斜めになったことを特徴とする［４］に記載の電子機器。
［６］
前記透光部は、前記光源と正対する位置から外れた斜めの位置に設けられ、
前記第１本体は、前記光源と前記透光部と結ぶ線に沿って斜めに設けられた［５］に記載の電子機器。
［７］
前記第１本体は、その内面に反射部を有し、前記反射部は、前記光源からの光を前記透光部に向けて反射可能である［５］に記載の電子機器。
［８］
透光部が設けられた筐体と、
前記筐体に収められたプリント回路板と、
前記プリント回路板に設けられた光源と、
前記プリント回路板に設けられて前記光源を囲んだ第１開口部が設けられた第１部材と、
前記プリント回路板とは離間された位置で前記第１部材と前記透光部との間に設けられ、前記第１開口部からの光を通す第２開口部が設けられた第２部材と、
を備えた電子機器。
［９］
前記光源は、プリント回路板の主部から張り出した張出部上に設けられ、
前記第１部材は、前記第１本体から突出した突出部を有し、前記突出部は、前記張出部の外縁を取り囲んだ［８］に記載の電子機器。
［１０］
前記第２部材は、前記第２本体から突出した第１重複部および第２重複部を有し、前記第１本体は、前記第１重複部と前記第２重複部との間に挟まれたことを特徴とする［９］に記載の電子機器。